(57)【要約】【課題】乳幼児を保持部内に寝かせた状態で乳幼児を体の前で抱かかえる姿勢と、乳幼児を保持部内に座らせて上体を起した姿勢で使用者と対面状に抱かかえる姿勢との両姿勢において、乳幼児を安全にサポートできるように改善されたベビーキャリアを提供する。【解決手段】無端状の帯布などから、使用者ｂの肩からタスキ状に掛けられるように構成されているベビーキャリアＡの乳幼児ａを包み込むように袋状に形成されている保持部１の開口一側縁１ａ側に長さ調節自在な補助ベルト３を備え、保持部１の開口他側縁１ｂ側には補助ベルト３を通すためのループ状のベルト通し部４を備えている。【選択図】図１
0003127392.tif 000002
【実用新案登録請求の範囲】
【請求項１】
乳幼児を体の前で抱かかえるように、無端状の帯布などから幅広状で、なおかつ、使用者の肩からタスキ状に掛けられるように構成されているベビーキャリアであって、
乳幼児を包み込むように形成されている袋状の保持部の内側に、乳幼児を支えるための長さ調節自在な補助ベルトを備えていることを特徴するベビーキャリア。
【請求項２】
前記補助ベルトは、前記保持部の一側面側に備えられ、この保持部の他側面側には前記補助ベルトを通すためのループ状のベルト通し部を備え、このベルト通し部に前記補助ベルトを通すことによって、前記保持部の開口部側を跨ぐように、前記補助ベルトが掛け渡されるように構成されていることを特徴とする請求項１に記載のベビーキャリア。
【請求項３】
前記ループ状のベルト通し部が、生地によって形成されていることを特徴とする請求項２に記載のベビーキャリア。
【考案の詳細な説明】
【技術分野】
【０００１】
本考案は、ベビーキャリアに係り、特に、無端状の帯布などから幅広状で、使用者の肩からタスキ状に掛けられるように装着されて、生後間もない乳幼児から、その後の首が座った乳幼児を体の前で抱かかえるように使用されるベビーキャリアに関する。
【背景技術】
【０００２】
従来から、幅広状の帯布を無端状に繋ぎ、使用者の背中から肩にかけてタスキ状に掛けられるように装着されて、乳幼児を体の前で抱かかえるように使用される形態のベビーキャリアは知られている（例えば、特許文献１および特許文献２参照）。
このベビーキャリアは、乳幼児を包み込むように形成されている袋状の保持部と、この保持部から延設されて使用者の肩からタスキ状に掛けられる肩帯と、を備えて構成されている。
このように構成されているベビーキャリアは、スリング式キャリアと呼ばれ、形態が比較的に自由に変形して使いやすく、しかも、乳幼児などの子供も親も疲れないなどの理由から利用者が徐々に増加している傾向にある。
【０００３】
また、スリング式キャリアは、図２に示すように、生後間もない乳幼児などを寝かせた状態で下から包み込むように抱かかえる姿勢や、さらには図３に示すように、乳幼児を座らせた姿勢で使用者と対面状に抱きかえる姿勢など様々なサポート姿勢に対応することができる。つまり、寝かせて首を安定させる必要がある乳幼児から、その後の首が座った乳幼児までの長期間にわたって使用することができるという利点を有している。
【０００４】
また、スリング式キャリアは、体の前で抱かかえる姿勢の変化に伴って帯布が変形する自由度があるために、子供が楽であり、しかも、幅広状の帯布であるが故に、子供の体重は使用者の背中から肩にかけて広い面積に加わるために、肩に加わる負担が少なく疲れないなどの利点を有している。
【特許文献１】実開平５−２０６６５号公報（段落番号０００６、および図１参照）
【特許文献２】実開平７−１４９２１号公報（段落番号００１８、００１９、００２３、００２４、および図３、図４参照）
【考案の開示】
【考案が解決しようとする課題】
【０００５】
ところで、スリング式キャリアは、保持部内で乳幼児を包み込むように保持し、使用者が背中から肩にかけて吊るす状態で乳幼児を寝かせる場合、そして、ミルクなどを与える場合、または、乳幼児を保持部内に座らせて上体を起こし、使用者と対面させた状態で抱かかえる場合、さらには、保持部内で寝かせた乳幼児をベビーベッドなどに移して寝かせる場合などの乳幼児を体の前で抱かかえる姿勢から色々な姿勢へと移行することができるなどの使い方ができる。
このような姿勢の移行時において、スリング式キャリアは、乳幼児を包みこむように形成されている保持部の振れに伴って、乳幼児を包み込むようにサポートする袋状の保持部部分と、親の腹部との間が開き易くなるため、乳幼児をサポートする保持部部分が不安定になる瞬間がある。このような場合、使用者が手でしっかりとサポートする必要があるが、あやまって保持部から乳幼児がずり落ちる可能性が残されていることから、その改善が必要であった。
【０００６】
また、従来のスリング式キャリアは、図３に示すように、保持部に乳幼児を座らせ、上体を起こして使用者と対面する姿勢を取ると、乳幼児の足は保持部の開口他側縁（使用者の体側）から下に飛び出て使用者の腰にぴたりと当たる姿勢を取ることになるが、この状態では乳幼児の足が保持部の開口一側縁部分によって強く圧迫され易いために、同じ姿勢を続けると場合によっては乳幼児の足に負担をかけることや、乳幼児に不快感を与えることにもなる。
【０００７】
そこで、本考案は、前記課題を解消するために創案されたものであり、乳幼児を保持部内に寝かせた状態で乳幼児を体の前で抱かかえる姿勢と、乳幼児を保持部内に座らせて上体を起した姿勢で使用者と対面状に抱かかえる姿勢との両姿勢において、乳幼児を安全にサポートできるように改善されたベビーキャリアを提供することにある。
【課題を解決するための手段】
【０００８】
前記課題を解決するために、本考案では、幅広状で、かつ、無端状の帯布などから、乳幼児を下から包み込むように、なおかつ、使用者の肩からタスキ状に掛けられるように構成されているベビーキャリアであって、
乳幼児を下から包み込むように形成されている袋状の保持部の内側に、乳幼児を支えるための長さ調節自在な補助ベルトを備えていることを特徴する。
ここで、前記補助ベルトは、周知の長さ調節具を備えており、これにより、乳幼児の体格（大きさ）に応じてその長さを任意に調節することができるように形成されている。
【０００９】
このように構成されているベビーキャリアによれば、保持部内で包み込むように保持される乳幼児を、補助ベルトによって保持部内に支えることができる。これにより、乳幼児をより安全にサポートすることができる。
【００１０】
また、本考案では、前記補助ベルトが、前記保持部の開口一側縁側に備えられ、保持部の開口他側縁側には前記補助ベルトを通すためのループ状のベルト通し部を備え、このベルト通し部に前記補助ベルトを通すことによって、前記保持部の開口両側面にわたり前記補助ベルトが掛け渡されるように構成されていることを特徴とする。
前記保持部の開口一側縁側とは、使用者が肩からタスキ状に掛けてベビーキャリアを装着した状態において、使用者と正対する保持部の開口縁部である。これにより、保持部に乳幼児を座らせ、上体を起こして使用者と対面する姿勢を取り、乳幼児の足を保持部の開口他側縁（使用者の体側）から下に飛び出て乳幼児を抱かかえるサポート姿勢において、補助ベルトによって、乳幼児を保持部にしっかりとくくりつけて支えることができる。
【００１１】
また、本考案では、前記ベルト通し部が、生地などによってループ状に形成されていることである。これにより、ベルト通し部を使用せずに、乳幼児を保持部で保持するサポート姿勢において、乳幼児がベルト通し部に接しても、ベルト通し部が肌触りのよい生地であることで、乳幼児に圧迫感や違和感を与えることはない。
【考案の効果】
【００１２】
本考案に係るベビーキャリアは、以上のように構成されていることで、乳幼児を保持部内に寝かせた状態では、保持部を乳幼児に密着させるように保持部の開口部を閉める方向に補助ベルトによって保持することができ、一方、乳幼児を保持部内に座らせて上体を起した状態では、乳幼児を保持部にしっかりとくくりつけるように補助ベルトによって保持することができる。
これにより、乳幼児を保持部内に寝かせた状態で乳幼児を抱かかえる姿勢と、乳幼児を保持部内に座らせて上体を起した状態で対面状に抱かかえる姿勢との両姿勢において、乳幼児をより安全にサポートすることができる。よって、例えば、使用者が背中から肩にかけてタスキ状に吊るす状態で乳幼児をベビーベッドなどに移して寝かせるなどの姿勢の移行時における保持部の振れに伴う不安定な状態を解決することができる。
【考案を実施するための最良の形態】
【００１３】
以下、本考案の実施形態について、適宜図面を参照しながら詳細に説明する。
図１は、本考案に係るベビーキャリアの実施形態を示す斜視図である。図２は、乳幼児を保持部内に寝かせた状態で乳幼児を下から包んで抱っこする姿勢での使用状態を示す斜視図であり、図３は、乳幼児を保持部内に座らせて上体を起した姿勢で使用者と対面状に抱っこする姿勢での使用状態を示す斜視図である。
【００１４】
ベビーキャリアＡは、無端状の帯布などによって幅広状に形成されている。このベビーキャリアＡは、図１および図２に示すように、乳幼児ａを包み込むように形成されている袋状の保持部１と、この保持部１から延設されて使用者ｂの肩からタスキ状に掛けられる肩帯２とを備えて構成されている。
そして、保持部１の内側には、図１に示すように、補助ベルト３が備えられており、保持部１内に包み込むように保持される乳幼児ａを、補助ベルト３によって支えることによって、乳幼児ａをより安全にサポートすることができるようにしている。
【００１５】
保持部１は、図１に示すように、乳幼児ａを包み込むように保持するのに必要な幅と長さを有する略楕円形に形成されている。つまり、図２および図３に示すように、乳幼児ａを保持部１内に寝かせた状態、また、乳幼児ａを保持部１に座らせて上半身を起こした状態で下からすっぽりと包み込むように保持することができる幅と長さを有する略楕円形に形成されている。
【００１６】
また、図示を省略しているが、保持部１は、丈夫な合成繊維布や綿布などの布材を中央部から二枚折りになるように縫製することによって形成されており、その内面側には肌触りのよいメッシュ生地を配して使用感を高めている。
また、保持部１の開口一側縁１ａと開口他側縁１ｂとに沿ってはスポンジなどからなるクッション材が内装されて縫着されている。
これにより、保持部１の開口両側縁１ａ，１ｂは、膨らみを持ち、図３に示すように、保持部１に乳幼児ａを座らせ、上体を起こして使用者と正対する姿勢をとった場合、乳幼児ａの足は保持部１の開口一側縁１ａ（使用者の体側）から下に飛び出て使用者の腰にぴたりと当たる姿勢を取ることになるが、乳幼児ａの足への圧迫感はクッション材が内装されて膨らみを持たせた開口一側縁１ａによって緩和され、また、使用者に圧接した際における圧迫感も緩和され、同時に保持部１が補強されることになる。
【００１７】
このように形成されている保持部１の左右両側には、図１に示すように、肩帯２の基端側が縫着され、保持部１の開口一側縁１ａ側に補助ベルト３が、開口他側縁１ｂ側には補助ベルト３を通すためのベルト通し部４がそれぞれ縫着去れて備えられている。
【００１８】
肩帯２は、定尺な帯部２ａと、長さ調節自在なベルト部２ｂ，２ｂとを備えて構成されており、ベルト部２ｂ，２ｂの長さを調節することによって長さが調節されるようになっている。
【００１９】
帯部２ａは、図１および図３に示すように、中央部の幅が最も広く、使用者ｂの背中から肩にかけて広く接触するように形成されている。この帯部２ａは、非伸縮性と柔軟性を備えた合成樹脂シートまたは布などによって、保持部１が使用者ｂの腹部のあたりに位置する程度の長さを有する帯状で、その長さ方向中央部位が使用者ｂの肩先に当たる肩当り部５となるように形成されている。そして、帯部２ａの長さ方向両端側部位にはベルト部２ｂ，２ｂがそれぞれ添設されている。
【００２０】
肩当り部５は、幅広なシート材を幅方向に折り畳んで、使用者ｂの肩を覆う幅に拡張自在に形成されている。
【００２１】
また、図示を省略しているが、肩当り部５には、使用者ｂの肩先に当たるよう幅方向中央に配置される緩衝パッドと、その左右両側おいて配置される左右の緩衝パッドとがそれぞ内設されており、これら各緩衝パッドによって使用者ｂの肩にかかる加重負担を軽減するとともに、左右の緩衝パッドで使用者ｂの肩先を挟んで、使用中の肩帯２と保持部１のズレを防ぐようにしている。
【００２２】
ベルト部２ｂ，２ｂは、非伸縮性と柔軟性を備えた合成樹脂または布材などによって形成され、中途部には長さ調節具６をそれぞれ備えている周知な構成を呈している。
そして、ベルト部２ｂ，２ｂは、長さ調節具６が帯部２ａにおける使用者ｂに当たる面（裏面側）と反対側の面（表面側）に位置するように、その両端を、帯部２ａの両端部に縫着している。これにより、ベルト部２ｂ，２ｂを短くすることで帯部２ａの両端部がそれぞれ折り畳まれるように縮み、肩帯２の長さが適宜に調節されるようになっている。
【００２３】
保持部の一側縁１ａ側に備えられる補助ベルト３は、図１に示すように、左右のベルト部３ａ，３ｂの先端に、抜き差し係脱自在な連結具７を備えている。
ベルト部３ａ，３ｂは、非伸縮性と適度の柔軟性を備えた合成樹脂または布材などによって形成されており、図１に示すように、基端部が保持部１の開口一側縁１ａ側の中間部位における左右においてそれぞれ縫着されて保持部１に備えられるようにしている。
【００２４】
連結具７は、図１に示すように、雄雌一対のバックル７ａ，７ｂとよって係脱可能に形成されている。
雄側バックル７ａは、ベルト部３ａの開放端側の途中部位に、ベルト部３ａの長さを適宜調節し得るように備えられている。つまり、乳幼児ａの体格（大きさ）に合わせてループ状に連結される補助ベルト３の長さが自在に調節できるようにしている。雌側バックル７ｂは、ベルト部３ｂの開放端側に固定的に備えられて、雄側バックル７ａに係脱自在に連結されるようになっている。
【００２５】
図２に示すように、乳幼児ａを保持部１内に寝かせた状態で、乳幼児ａが保持部１から誤って飛び出さないように補助ベルト３を通すベルト通し部４は、乳幼児ａの肌が接しても違和感などを与えない軟らかい生地などによって形成されている。
このベルト通し部４は、図１に示すように、保持部１の開口他側縁１ｂ側の中間部位において縫着されて保持部１にループ状に備えられるように形成されている。
【００２６】
次に、以上のように構成されている本実施形態のベビーキャリアＡの使用法について簡単に説明する。
まず始めに、肩帯２のベルト部２ｂ，２ｂのいずれか一方または双方の長さを調節して肩帯２を適宜の長さとし、保持部１が最も使い易く、かつ、安全に乳幼児ａを体の前で抱かかえるように保持し得る高さ、例えば、図２に示すように、使用者ｂの腹部の高さに保持部１が位置するよう調節する。つぎに、図２に示すように、帯部２ａの肩当り部５を拡張して、肩当り部５で使用者の肩を覆うようにして肩帯２を肩からタスキ状に掛ける。このとき、予め乳幼児ａを保持部１内に寝かせた状態で行うこともできる。
このようにして、肩帯２を肩からタスキ状に掛けてベビーキャリアＡを装着した後に、補助ベルト３のベルト部３ａ，３ｂのいずれか一方をベルト通し部４に通し、連結具７によって補助ベルト３を、図２に示すように、保持部１の開口一側縁１ａ側から開口他側縁１ｂにわたり保持部の開口部を跨ぐように装着する。このとき、ベルト部３ａ側によって保持部が幼児の体に密着するように締め付けことが望ましい。
これにより、保持部内に寝た状態の乳幼児は、補助ベルトと保持部による密着によってより一層安全にサポートされることとなる。
【００２７】
また、図３に示すように、乳幼児ａを保持部１に座らせ、上体を起こして乳幼児ａの足を保持部１の開口一側縁１ａ（使用者ｂの体側）から下に飛び出させて使用者ｂと正対（対面）する姿勢と取った場合には、補助ベルト３によって乳幼児ａを保持部１にしっかりとくくりつけることで、乳幼児ａを安全にサポートすることができるものである。
【図面の簡単な説明】
【００２８】
【図１】本考案に係るベビーキャリアの実施形態を示す斜視図である。
【図２】乳幼児を保持部内に寝かせた状態で乳幼児を下から包んで抱っこする姿勢での使用状態を示す斜視図である。
【図３】乳幼児を保持部内に座らせて上体を起した姿勢で使用者と対面状に抱っこする姿勢での使用状態を示す斜視図である。
【符号の説明】
【００２９】
Ａ    ベビーキャリア
１    保持部
１ａ  開口一側縁
１ｂ  開口他側縁
２    肩帯
３    補助ベルト
４    ベルト通し部
【図１】
0003127392.tif 000003
【図２】
0003127392.tif 000004
【図３】
0003127392.tif 000005